(57)【要約】【課題】保存対象とする画像データの増加に伴い、ユーザーの作業負担が大きくなる。【解決手段】出力先システムとしての画像処理装置に、（ａ）通信路経由又は内部インターフェース経由で外部メモリにアクセスし、外部メモリに格納されている画像データを、出力先システムとしての自装置に出力させる出力制御部と、（ｂ）画像データの出力制御時、当該出力制御に連動して、自装置の管理下にある不揮発性の記憶媒体に、出力対象として取り込まれた画像データを自動的に保存させる保存制御部とを設ける。【選択図】図８
2005313392.tif 000002
【特許請求の範囲】
【請求項１】
出力元システムとしての自装置に通信路経由で接続された出力先システムに対し、画像データの出力処理を通信路経由で指示する出力制御部と、
前記指示に連動して、出力先システムの管理下にある不揮発性の記憶媒体に、前記画像データの自動保存を通信路経由で指示する保存制御部と
を有することを特徴とする出力元システムとしての画像処理装置。
【請求項２】
出力先システムから通信路経由で入力される、出力元システムとしての自装置に対する画像データの出力指示を検出する出力指示検出部と、
前記検出に連動して、出力先システムの管理下にある不揮発性の記憶媒体に、出力対象とする画像データの自動保存を通信路経由で指示する保存制御部と
を有することを特徴とする出力元システムとしての画像処理装置。
【請求項３】
出力元システムから通信路経由で入力される、出力先システムとしての自装置に対する画像データの出力指示を検出する出力指示検出部と、
前記検出に連動して、自装置の管理下にある不揮発性の記憶媒体に、出力対象として取り込まれた画像データを自動的に保存させる保存制御部と
を有することを特徴とする出力先システムとしての画像処理装置。
【請求項４】
通信路経由又は内部インターフェース経由で外部メモリにアクセスし、外部メモリに格納されている画像データを、出力先システムとしての自装置に出力させる出力制御部と、
前記画像データの出力制御時、当該出力制御に連動して、自装置の管理下にある不揮発性の記憶媒体に、出力対象として取り込まれた画像データを自動的に保存させる保存制御部と
を有することを特徴とする出力先システムとしての画像処理装置。
【請求項５】
請求項１又は２に記載の画像処理装置は、
前記保存制御部の保存指示に連動して、出力先システムへの出力対象となった画像データを、自装置の管理下にある不揮発性の記憶媒体から自動的に削除する削除制御部
を更に有することを特徴とする出力元システムとしての画像処理装置。
【請求項６】
請求項３又は４に記載の画像処理装置は、
前記保存制御部の保存指示に連動して、自装置への出力対象となった画像データを、出力元システムの管理下にある不揮発性の記憶媒体から自動的に削除させる削除制御部
を更に有することを特徴とする出力先システムとしての画像処理装置。
【請求項７】
請求項１又は２に記載の画像処理装置は、
前記出力先システムから通信路経由で入力される保存処理の完了通知に連動して、出力先システムへの出力対象となった画像データを、自装置の管理下にある不揮発性の記憶媒体から自動的に削除する削除制御部
を更に有することを特徴とする出力元システムとしての画像処理装置。
【請求項８】
請求項３又は４に記載の画像処理装置は、
前記保存処理の完了通知に連動して、自装置への出力対象となった画像データを、出力元システムの管理下にある不揮発性の記憶媒体から自動的に削除させる削除制御部
を更に有することを特徴とする出力先システムとしての画像処理装置。
【請求項９】
自装置に通信路経由で接続された印刷装置に対し、画像データの出力処理を通信路経由で指示する出力制御部と、
前記指示に連動して、印刷装置の管理下にある不揮発性の記憶媒体に、前記画像データの自動保存を通信路経由で指示する保存制御部と
を有することを特徴とする撮像装置。
【請求項１０】
印刷装置から通信路経由で入力される、自装置に対する画像データの出力指示を検出する出力指示検出部と、
前記検出に連動して、印刷装置の管理下にある不揮発性の記憶媒体に、出力対象とする画像データの自動保存を通信路経由で指示する保存制御部と
を有することを特徴とする撮像装置。
【請求項１１】
撮像装置から通信路経由で入力される、自装置に対する画像データの出力指示を検出する出力指示検出部と、
前記検出に連動して、自装置の管理下にある不揮発性の記憶媒体に、出力対象として取り込まれた画像データを自動的に保存させる保存制御部と
を有することを特徴とする印刷装置。
【請求項１２】
通信路経由又は内部インターフェース経由で外部メモリにアクセスし、外部メモリに格納されている画像データを、自装置に出力させる出力制御部と、
前記画像データの出力制御時、当該出力制御に連動して、自装置の管理下にある不揮発性の記憶媒体に、出力対象として取り込まれた画像データを自動的に保存させる保存制御部と
を有することを特徴とする印刷装置。
【請求項１３】
出力元システムとしての自装置に通信路経由で接続された出力先システムに対し、画像データの出力処理を通信路経由で指示する処理と、
前記指示に連動して、出力先システムの管理下にある不揮発性の記憶媒体に、前記画像データの自動保存を通信路経由で指示する処理と
を有することを特徴とする出力元システム側のデータ保存方法。
【請求項１４】
出力先システムから通信路経由で入力される、出力元システムとしての自装置に対する画像データの出力指示を検出する処理と、
前記検出に連動して、出力先システムの管理下にある不揮発性の記憶媒体に、出力対象とする画像データの自動保存を通信路経由で指示する処理と
を有することを特徴とする出力元システム側のデータ保存方法。
【請求項１５】
出力元システムから通信路経由で入力される、出力先システムとしての自装置に対する画像データの出力指示を検出する処理と、
前記検出に連動して、自装置の管理下にある不揮発性の記憶媒体に、出力対象として取り込まれた画像データを自動的に保存させる処理と
を有することを特徴とする出力先システム側のデータ保存方法。
【請求項１６】
通信路経由又は内部インターフェース経由で外部メモリにアクセスし、外部メモリに格納されている画像データを、出力先システムとしての自装置に出力させる処理と、
前記画像データの出力制御時、当該出力制御に連動して、自装置の管理下にある不揮発性の記憶媒体に、出力対象として取り込まれた画像データを自動的に保存させる処理と
を有することを特徴とする出力先システム側のデータ保存方法。
【請求項１７】
出力元システムに搭載されるコンピュータに、
出力元システムとしての自装置に通信路経由で接続された出力先システムに対し、画像データの出力処理を通信路経由で指示する処理と、
前記指示に連動して、出力先システムの管理下にある不揮発性の記憶媒体に、前記画像データの自動保存を通信路経由で指示する処理と
を実行させることを特徴とするプログラム。
【請求項１８】
出力元システムに搭載されるコンピュータに、
出力先システムから通信路経由で入力される、出力元システムとしての自装置に対する画像データの出力指示を検出する処理と、
前記検出に連動して、出力先システムの管理下にある不揮発性の記憶媒体に、出力対象とする画像データの自動保存を通信路経由で指示する処理と
を実行させることを特徴とするプログラム。
【請求項１９】
出力先システムに搭載されるコンピュータに、
出力元システムから通信路経由で入力される、出力先システムとしての自装置に対する画像データの出力指示を検出する処理と、
前記検出に連動して、自装置の管理下にある不揮発性の記憶媒体に、出力対象として取り込まれた画像データを自動的に保存させる処理と
を実行させることを特徴とするプログラム。
【請求項２０】
出力先システムに搭載されるコンピュータに、
通信路経由又は内部インターフェース経由で外部メモリにアクセスし、外部メモリに格納されている画像データを、出力先システムとしての自装置に出力させる処理と、
前記画像データの出力制御時、当該出力制御に連動して、自装置の管理下にある不揮発性の記憶媒体に、出力対象として取り込まれた画像データを自動的に保存させる処理と
を実行させることを特徴とするプログラム。
【請求項２１】
請求項１７に記載のプログラムを記録したことを特徴とするコンピュータ読み取り可能な記録媒体。
【請求項２２】
請求項１８に記載のプログラムを記録したことを特徴とするコンピュータ読み取り可能な記録媒体。
【請求項２３】
請求項１９に記載のプログラムを記録したことを特徴とするコンピュータ読み取り可能な記録媒体。
【請求項２４】
請求項２０に記載のプログラムを記録したことを特徴とするコンピュータ読み取り可能な記録媒体。
【発明の詳細な説明】
【技術分野】
【０００１】
１つの発明は、画像データの出力元又は出力先となる画像処理装置に関する。また１つの発明は、画像データの出力元となる撮像装置に関する。また１つの発明は、画像データの出力先となる印刷装置に関する。
【０００２】
また１つの発明は、画像データをある１つの記録媒体から他の１つの記録媒体に保存する場合に実行されるデータ保存方法に関する。また１つの発明は、かかる保存処理をコンピュータに実行させるためのプログラムに関する。また１つの発明は、同プログラムを記録する記録媒体に関する。
【背景技術】
【０００３】
伝統的な印刷装置（プリンタ）では、コンピュータから与えられた印刷データの印刷のみを想定する。しかし最近では、装置本体に装着された外部メモリから直接印刷できる機能を搭載する印刷装置が現れている。同様に、撮像装置から出力された印刷データを、コンピュータを経由せずに直接印刷できる機能を搭載する印刷装置も現れている。
【０００４】
すなわち、コンピュータの介在を必要としない印刷装置が普及し始めている。これに伴い、印刷データ保存用の記憶媒体を印刷装置に装備するものが提案されている。例えば特許文献１には、この種の印刷装置を使用する印刷システムが提案されている。
【０００５】
図１に、この印刷システムを示す。この印刷システムは、プリンタ１と、デジタルカメラ１１と、これらを相互に接続するケーブル２１とで構成される。この接続形態において、プリンタ１は、画像データの出力装置又は保存装置として使用される。
【０００６】
保存装置としての機能は、プリンタ１に内蔵したハードディスク装置３が提供する。すなわち、ハードディスク装置３は、デジタルカメラ１１の内部メモリ１３から複製した画像データを保存するのに用いられる。なお、画像データの複製は、プリントボタン５又は１５を通じて実現される。ここで、プリントボタン５及び１５は、プリントアウトの指示入力にも使用される。
【０００７】
この他、特許文献２には、画像データをプリンタに保存する際に、識別ディレクトリ作成する機能を搭載するプリンタが提案されている。この機能は、上書き記録の防止に効果的である。すなわち、同一ファイル名の画像データによる上書きを防止して、画像データの紛失を防止するのに効果的である。
【特許文献１】特開２００３−１５３１４５号公報
【特許文献１】特開２００３−２５６１５９号公報
【発明の開示】
【発明が解決しようとする課題】
【０００８】
前述したプリンタは、いずれもコンピュータの介在無しに画像データの印刷と保存を実行できる。ただし、画像データをプリンタに保存するには、ユーザーによる個別の指示操作を必要とする。また、その指示操作は、プリンタに搭載された簡略的な操作部と表示部を通じて行う必要がある。
【０００９】
このため、保存対象とする画像データの増加に伴って、ユーザーの作業負担が過大になる問題がある。加えて、画像データ数の増加に伴って、保存忘れやこれに伴う原画像データの誤消去の可能性が高まる問題もある。
【課題を解決するための手段】
【００１０】
本発明者は、以上の技術的課題に着目し、以下の技術手法を提案する。すなわち、出力先システムへの画像データの出力に連動して、当該画像データを出力先システムの管理下にある不揮発性の記憶媒体に自動的に保存する手法を提案する。更にこの自動保存に連動して、保存対象の画像データを出力元システムから自動的に削除する手法を提案する。
【００１１】
ここで提案する技術は、画像データを取り扱う画像処理装置であれば、商品形態に係わらず広く適用できる。また、画像処理装置は、画像データの出力先となる電子機器だけでなく、画像データの出力元となる電子機器にも適用することができる。具体例については、後述する。
【発明の効果】
【００１２】
発明の１つに係る技術手法の採用により、ユーザーを、出力指示と保存指示の重複操作から解放することができる。一般に、出力先システムに出力された画像データは、出力先システムで再使用される可能性が高い。このため、出力指示に連動して、対象画像データを自動保存することにより、ユーザーの重複操作を効率的に削減できる。
【００１３】
また発明の１つに係る技術手法の採用により、保存対象の画像データを出力元システムから自動的に削除できる。すなわち、画像データを、出力元システムから出力先システムに自動的に移動できる。かくして、出力元システムの管理下にある不揮発性の記憶媒体の空容量を常に広く確保できる。
【発明を実施するための最良の形態】
【００１４】
以下、発明に係る技術手法を採用する画像処理装置の実施形態例を説明する。なお、本明細書で特に図示又は記載されない部分には、当該技術分野の周知又は公知技術を適用する。また以下に説明する実施形態は、発明の一つの実施形態であって、これらに限定されるものではない。
【００１５】
（１）処理機能の配分
最初に、出力元システムと出力先システムとの間でどのように制御機能を配分するかについて説明する。配分する制御機能は、画像データの出力処理を制御する出力制御機能と、画像データの保存処理を制御する保存制御機能の２つである。
【００１６】
各制御機能は、出力元システムと出力先システムのいずれか一方に搭載する。従って、４通りの機能配分が考えられる。なお、各機能配分例には、画像データの自動削除処理を制御する削除制御機能を有するものと、有しないものの２種類が更に考えられる。以下、各機能配分例について、実施例を説明する。
【００１７】
（１−１）機能配分例１
図２に、機能配分例の１つを示す。この機能配分例は、画像データの出力元システム３１に、前述した出力制御機能と保存制御機能の２つを配分する例である。すなわち、出力元システム３１内で２つの処理機能を完結する場合の配分例である。図２は、かかる配分例の１つの実施形態について表している。
【００１８】
また、画像処理装置としての出力元システム３１と出力先システム４１のブロック構成を示す。出力元システム３１は、記憶媒体３３、出力制御部３５、保存制御部３７を主要な構成要素として有する。
【００１９】
出力元システム３１として使用される画像処理装置には、撮像カメラを搭載する電子機器（デジタルカメラ、ビデオカメラ、携帯電話機を含む。）、コンピュータ（ゲーム機器、携帯情報端末を含む。）、画像データの記録機能又は再生機能を搭載する電子機器、その他の電子機器が含まれる。
【００２０】
一方、出力先システム４１として使用される画像処理装置には、画像データの出力機能を搭載する電子機器、例えば印刷装置、モニタ、コンピュータ（ゲーム機器、携帯情報端末を含む。）、その他の電子機器が含まれる。
【００２１】
記憶媒体３３は、画像データその他のデジタルデータの保存に使用される領域である。記憶媒体３３には、出力元システム３１の商品形態に応じたものが使用される。一般には、書き換え可能な不揮発性メモリが用いられる。
【００２２】
一例として、例えば、ハードディスクその他の磁気記録媒体が用いられる。また例えば、半導体メモリが用いられる。また例えば、ＣＤ−ＲＯＭ、ＤＶＤその他の光ディスクが用いられる。
【００２３】
記憶媒体３３は、筐体内に固定的に内蔵されるものでも良いし、筐体に対して着脱自在に装着されるものでも良いし、インターフェース経由で外部接続されるものでも良い。ここでの外部接続には無線接続を含む。なお、記憶媒体３３に記憶された画像データは、出力元システム３１の内部で発生されたものでも、他の画像処理装置で発生されたものでも良い。
【００２４】
出力制御部３５は、通信路経由で接続された出力先システム４１に対し、画像データの出力処理を通信路経由で指示する制御部である。この例の場合、出力制御部３５の出力処理の指示は、出力先システム内の画像処理部４５に与えられる。
【００２５】
指示内容は、出力先システム４１の商品形態により異なる。指示内容は、例えば画像データの印刷処理であり、例えば画像データのモニタ出力である。
【００２６】
保存制御部３７は、出力先システム４１の管理下にある不揮発性の記憶媒体４３に対し、出力対象である画像データの自動保存を指示する制御部である。保存制御部３７は、かかる保存指示を、出力制御部３５による出力処理の指示に連動して実行する。なお、保存指示は全ての出力指示に対して発生させても良いし、一部の出力指示に対してのみ発生させても良い。
【００２７】
例えば、出力先システム４１に画像データの処理機能が複数搭載されている場合、一部の処理機能に対する出力指示に対してのみ選択的に保存指示を発生する手法を採用しても良い。
【００２８】
例えば、出力対象とする画像データを再使用する可能性が高い処理機能を選択すれば良い。この場合、保存指示の対象とする出力指示を予め登録しておくことが望ましい。また、保存制御部３７には、出力指示の宛先が登録済の処理機能か否かを判定し、選択的に保存指示を出力する機能を搭載しておくことが望ましい。
【００２９】
また、保存制御部３７は、既に保存指示の対象となったことのある画像データに対しては、保存指示の発生を停止又はスキップする機能を搭載することが望ましい。この機能の搭載した場合、出力先システムの処理負荷の軽減を実現できる。
【００３０】
また、保存制御部３７は、画像データの出力指示の出力先である出力先システムが不揮発性の記憶媒体４３を有する場合にのみ、保存指示を出力することが望ましい。出力先システム４１に保存機能が無い場合には、画像データの自動保存機能を実行し得ないためである。
【００３１】
なお、出力先システム４１が不揮発性の記憶領域４３を有するか否かに関する情報は事前に取得されていることが望ましい。例えば、通信機能を用いて取得されるのが望ましい。また例えば、メーカー側の事前設定やユーザーによる個別の設定を通じて取得されるのが望ましい。
【００３２】
なお、画像データの自動保存機能の実行又は停止は、ユーザが選択的に選択できることが好ましい。出力先システム４１側の記憶容量が限られている場合や、画像データの保存処理は個別に実行したいユーザーの要望に対処するためである。
【００３３】
また、画像データの出力先となる処理機能に応じて保存指示を選択的に発生する場合、保存指示の発生対象とする処理機能は、製品の出荷時点で事前に登録されていても良いし、ユーザーが自由に設定又は変更できる機能を搭載しても良い。この機能の搭載により、ユーザーの使用態様に応じた設定を実現できる。
【００３４】
なお、出力元システム３１と出力先システム４１を接続する通信路は、有線路でも無線路でも良い。有線路には、例えばＵＳＢ（Universal Serial Bus）やＩＥＥＥ１３９４バスを用いる。また、通信路の接続形態は、一対一の直接接続でも良いし、ＬＡＮ型の接続形態でも良い。
【００３５】
この他、記憶媒体４３は、出力先システム４１の商品形態に応じたものを使用する。例えば、書き換え可能な不揮発性メモリが用いられる。また例えば、ハードディスクその他の磁気記録媒体が用いられる。また例えば、半導体記憶装置が用いられる。また例えば、ＣＤ−Ｒ、ＤＶＤその他の光ディスクが用いられる。
【００３６】
なお、記録媒体４３に対する画像データの保存処理に際しては、画像データの縮小処理（例えば、画像データの圧縮処理、削除処理、間引き処理）を組み合わせても良い。この場合において、画像データの縮小処理は、出力元システム３１側で実行しても良いし、出力先システム４１側で実行しても良い。
【００３７】
なお、以上説明した処理機能は、専用のハードウェアとして実現しても良いし、ソフトウェアとして実現しても良い。また、一部の処理機能のみをハードウェアで実現し、他の処理機能はソフトウェアとして実現しても良い。後述する他の機能配分例についても同様である。
【００３８】
（１−２）機能配分例２
図３に、機能配分例の１つを示す。この機能配分例は、図２に示す形態の機能配分例１に画像データの自動削除機能を組み合わせる場合の１つの実施例である。従って、図３には、図２との対応部分に同一の符号を付して示している。
【００３９】
なお、削除制御機能は、出力元システム３１Ａに搭載する場合と、出力先システム４１に搭載する場合とが考えられる。図３は、出力元システム３１Ａに削除制御部３９を搭載する場合について表している。
【００４０】
すなわち、図３は、出力元システム３１Ａに、出力制御部３５、保存制御部３７、削除制御部３９の３つを全て配分する場合について表している。ここでは、本実施例に特有な構成要素である削除制御部３９についてのみ説明する。
【００４１】
削除制御部３９は、出力先システム４１に出力された画像データを、自装置内の不揮発性の記憶媒体３３から自動的に削除する機能を実現する制御部である。この実施例の場合、削除制御部３９は、保存制御部３７から出力先システム４１に対して出力される保存指示を監視し、これに連動して画像データの削除処理を制御する。
【００４２】
すなわち、削除制御部３９は、保存指示の検出をトリガーとして、出力対象となった画像データを記憶媒体３３から削除する。かかる削除処理の実行により、画像データの記憶に占有されていた記憶領域を開放でき、記憶媒体３３の空容量の拡大を実現できる。
【００４３】
この結果、新たな画像データの保存時に、空容量が不足する事態を有効に回避できる。このように、画像データの削除処理が保存処理に連動して実行される。すなわち、出力処理に連動して画像データの削除処理が自動実行される。
【００４４】
このため、多数の画像データを取り扱う場合にも、削除処理を個別に行うことによるユーザーの煩雑さを無くすことができる。かかる作業負担の軽減に加え、この自動削除機能は、出力元システムによる新たな画像データの取得機会を増やす利点がある。例えば、記憶媒体３３の記憶容量が小さい場合には効果的である。また例えば、出力元システム３１Ａとして機能する携帯型の電子機器の場合に効果的である。
【００４５】
なお本来、画像データの削除は慎重に行われるべきものである。しかし、ここでの削除処理は、出力先システム４１の不揮発性の記憶媒体４３への保存に連動して実行される。従って、実質上、画像データは出力元システム３１Ａから出力先システム４１に移動したのと同じ状態になる。
【００４６】
このため、本実施例の場合、自動削除処理の実行により、原画像データがいずれの記憶媒体にも存在しなくなる事態は回避できる。もっとも、自動削除処理は、一部の画像データに対してのみ実行されるようにしても良い。
【００４７】
例えば、予め自動削除の対象に定めた画像データのみを削除対象としても良い。また例えば、予め自動削除の対象外に定めた画像データ以外を削除対象としても良い。かかる画像データの選定は、ユーザーが個別に実行できることが望ましい。
【００４８】
なお図３の場合、削除制御部３９は、保存制御部３７の保存指示に連動して画像データを削除したが、出力先システム４１から通知された保存処理の完了通知に連動して画像データを削除することもできる。
【００４９】
かかる処理方式を採用する場合、何らかの原因で保存処理が正常に完了しなかった場合にも、画像データが自動的に削除される事態を回避できる。すなわち、保存処理の実行不良による原画像データの消滅を有効に回避できる。
【００５０】
（１−３）機能配分例３
図４に、機能配分例の１つを示す。この機能配分例は、出力元システム５１に保存制御機能を配分し、出力先システム６１に出力制御機能を配分する例である。
【００５１】
すなわち、出力元システム５１では保存制御機能のみを実行し、出力先システム６１では出力制御機能のみを実行する配分例である。この実施例は、出力先システム６１側の操作を起点として画像データの出力が実行される場合に効果的である。
【００５２】
なお、出力元システム５１及び出力先システム６１には、機能配分例１の説明と同じ画像処理装置を使用する。図３は、かかる配分例の１つの実施形態について表している。ここでは、画像処理装置としての出力元システム５１と出力先システム６１のブロック構成を示す。
【００５３】
この場合、出力元システム５１は、記憶媒体５３、出力指示検出部５５、保存制御部５７を主要な構成要素として有する。記憶媒体５３の構成は、前述した機能配分例１の記憶媒体３３の構成と同じであるので説明を省略する。
【００５４】
出力指示検出部５５は、出力先システムから通信路経由で入力される画像データの出力指示を検出する機能部である。なお、出力指示検出部５５は、不揮発性の記憶媒体６３を有する出力先システムから受信した出力指示だけを選択的に検出することが望ましい。出力先システム６１に保存機能が無い場合には、画像データの自動保存機能を実行し得ないためである。
【００５５】
なお、出力先システム６１が不揮発性の記憶領域６３を有するか否かに関する情報は事前に取得されていることが望ましい。例えば、通信機能を用いて取得されるのが望ましい。また例えば、メーカー側の事前設定やユーザーによる個別の設定を通じて取得されるのが望ましい。もっとも、保存指示の選択出力は、保存制御部５７の機能として実現しても良い。
【００５６】
保存制御部５７は、出力先システム６１の管理下にある不揮発性の記憶媒体６３に対し、出力対象である画像データの自動保存を指示する制御部である。ただし、この実施例で用いる保存制御部５７は、かかる保存指示を、出力先システム６１から受信した出力指示に連動して実行する。なお、保存制御部５７の連動機能に関しては、機能配分例１の保存制御部３７と同様であるので説明を省略する。
【００５７】
一方、出力先システム６１は、記憶媒体６３、出力制御部６５、画像処理部６７を主要な構成要素とする。いずれの処理機能についても、基本的に機能配分例１と同じものを使用する。相違点は、出力制御部６５が出力先システム６１に搭載されており、その出力指示が通信路経由で出力元システム５１に出力される点である。
【００５８】
因みに、出力指示は、出力元システム５１の記憶媒体５３に対する画像データの出力要求である。例えば、出力要求は、１つ又は複数の画像データを特定して出力される。また例えば、出力要求は、１つ又は複数のフォルダを特定して出力される。なお、画像データ又はフォルダの特定は、出力元システム５１又は出力先システム６１の筐体に搭載された表示部又は外部モニタを通じて実行することが望ましい。
【００５９】
（１−４）機能配分例４
図５に、機能配分例の１つを示す。この機能配分例は、図４に示す形態の機能配分例３に画像データの自動削除機能を組み合わせる場合の１つの実施例である。従って、図５には、図４との対応部分に同一の符号を付して示している。
【００６０】
なお、削除制御機能は、出力元システム５１Ａに搭載する場合と、出力先システム６１に搭載する場合とが考えられる。図５は、出力元システム５１Ａに削除制御部５９を搭載する場合について表している。
【００６１】
すなわち、図５は、出力元システム５１Ａに、保存制御部５７、削除制御部５９の２つを配分する場合について表している。なお、削除制御部５９の機能は、前述した機能配分例２で説明した削除制御部３９と同様である。
【００６２】
すなわち、削除制御部５９は、出力先システム６１に出力された画像データを、自装置内の不揮発性の記憶媒体５３から自動的に削除する機能を実現する制御部である。この実施例の場合、削除制御部５９は、保存制御部５７から出力先システム６１に対して出力される保存指示を監視し、これに連動して画像データの削除処理を制御する。
【００６３】
この機能配分例の採用により、新たな画像データの保存時に、空容量が不足する事態を有効に回避できる。結果的に、多数の画像データを取り扱う場合にも、削除処理を個別に行うことによるユーザーの煩雑さを無くすことができる。
【００６４】
勿論、この場合も、削除制御部５９が、出力先システム６１から通知された保存処理の完了通知に連動して画像データを削除することもできる。かかる処理方式を採用すれば、何らかの原因で保存処理が正常に完了しなかった場合にも、画像データが自動的に削除される事態を回避できる。すなわち、保存処理の実行不良による原画像データの消滅を有効に回避できる。
【００６５】
（１−５）機能配分例５
図６に、機能配分例の１つを示す。この機能配分例は、出力元システム７１に出力制御機能を配分し、出力先システム８１に保存制御機能を配分する例である。
【００６６】
すなわち、出力元システム７１では出力制御機能のみを実行し、出力先システム８１では保存制御機能のみを実行する配分例である。この実施例は、出力元システム７１側の操作を起点として画像データの出力が実行される場合に効果的である。
【００６７】
なお、出力元システム７１及び出力先システム８１には、機能配分例１の説明と同じ画像処理装置を使用する。図６は、かかる配分例の１つの実施形態について表している。ここでは、画像処理装置としての出力元システム７１と出力先システム８１のブロック構成を示す。
【００６８】
この場合、出力元システム７１は、記憶媒体７３、出力制御部７５を主要な構成要素として有する。記憶媒体７３と出力制御部７５の構成は、前述した機能配分例１の記憶媒体３３と出力制御部３５の構成と同じであるので説明を省略する。
【００６９】
一方、出力先システム８１は、記憶媒体８３、画像処理部８５、出力指示検出部８７、保存制御部８９を主要な構成要素として有する。記憶媒体８３と画像処理部８５の構成は、前述した機能配分例１の記憶媒体４３及び画像処理部４５の構成と同じであるので説明を省略する。
【００７０】
同様に、出力指示検出部８７と保存制御部８９の構成も、前述した機能配分例３の出力指示検出部５５と保存制御部５７の構成と基本的に同じである。ただし、この実施例の場合、出力指示検出部８７は、出力元システム７１から通信路経由で入力される出力指示を検出対象とする点で前述の機能配分例３と異なっている。
【００７１】
（１−６）機能配分例６
図７に、機能配分例の１つを示す。この機能配分例は、図６に示す形態の機能配分例５に画像データの自動削除機能を組み合わせる場合の１つの実施例である。従って、図７には、図６との対応部分に同一の符号を付して示す。
【００７２】
なお、削除制御機能は、出力元システム７１に搭載する場合と、出力先システム８１Ａに搭載する場合とが考えられる。図７は、出力先システム８１Ａに削除制御部９１を搭載する場合について表している。
【００７３】
従って、出力元システム７１の構成は、機能配分例５の場合と同じである。すなわち、出力元システム７１は、記憶媒体７３と出力制御部７５を有する。
【００７４】
一方、出力先システム８１は、記憶媒体８３、画像処理部８５、出力指示検出部８７、保存制御部８９、削除制御部９１を主要な構成要素として有する。記憶媒体８３、画像処理部８５、出力指示検出部８７、保存制御部８９の構成は、前述した機能配分例５の構成と同じであるので説明を省略する。
【００７５】
同様に、削除制御部９１の機能は、前述した機能配分例２で説明した削除制御部３９と同様である。ただし、この実施例の場合、削除制御部９１は、画像データの削除を通信路経由で出力元システム７１に指示する点で異なっている。
【００７６】
この機能配分例の採用により、新たな画像データの保存時に、空容量が不足する事態を有効に回避できる。結果的に、多数の画像データを取り扱う場合にも、削除処理を個別に行うことによるユーザーの煩雑さを無くすことができる。
【００７７】
勿論、この場合も、削除制御部９１が、保存制御部８９から通知された保存処理の完了通知に連動して画像データを削除することもできる。かかる処理方式を採用すれば、何らかの原因で保存処理が正常に完了しなかった場合にも、画像データが自動的に削除される事態を回避できる。すなわち、保存処理の実行不良による原画像データの消滅を有効に回避できる。
【００７８】
（１−７）機能配分例７
図８に、機能配分例の１つを示す。この機能配分例は、画像データの出力先システム１１１に、前述した出力制御機能と保存制御機能の２つを配分する例である。すなわち、出力先システム１１１内で２つの処理機能を完結する場合の配分例である。図８は、かかる配分例の１つの実施形態について表している。
【００７９】
ここでは、画像処理装置としての出力元システム１０１と出力先システム１１１のブロック構成を示す。出力元システム１０１は、記憶媒体１０３を主要な構成要素として有する。記憶媒体１０３の構成は、前述した機能配分例１の記憶媒体３３の構成と同じであるので説明を省略する。
【００８０】
一方、送信先システム１１１は、記憶媒体１１３、画像処理部１１５、出力制御部１１７、保存制御部１１９を主要な構成要素として有する。記憶媒体１１３、画像処理部１１５、保存制御部１１９の構成は、前述した機能配分例５と同じであるため説明を省略する。
【００８１】
同様に、出力制御部１１７の構成は、前述した機能配分例３の構成と同じである。違いは、この出力制御部１１７の出力指示を監視する保存制御部１１９が同じ筐体内に搭載されている点だけである。
【００８２】
（１−８）機能配分例８
図９に、機能配分例の１つを示す。この機能配分例は、図８に示す形態の機能配分例７に画像データの自動削除機能を組み合わせる場合の１つの実施例である。従って、図９には、図８との対応部分に同一の符号を付して示している。
【００８３】
なお、削除制御機能は、出力元システム１０１に搭載する場合と、出力先システム１１１Ａに搭載する場合とが考えられる。図９は、出力先システム１１１Ａに削除制御部１２１を搭載する場合について表している。
【００８４】
従って、出力元システム１０１の構成は、機能配分例７の場合と同じである。すなわち、出力元システム１０１は、記憶媒体１０３を有する。
【００８５】
一方、出力先システム１１１Ａは、記憶媒体１１３、画像処理部１１５、出力制御部１１７、保存制御部１１９、削除制御部１２１を主要な構成要素として有する。記憶媒体１１３、画像処理部１１５、出力制御部１１７、保存制御部１１９の構成は、前述した機能配分例７の構成と同じであるので説明を省略する。
【００８６】
同様に、削除制御部１２１の機能は、前述した機能配分例２で説明した削除制御部３９と同様である。ただし、この実施例の場合、削除制御部１２１は、画像データの削除を通信路経由で出力元システム１０１に指示する点で異なっている。
【００８７】
この機能配分例の採用により、新たな画像データの保存時に、空容量が不足する事態を有効に回避できる。結果的に、多数の画像データを取り扱う場合にも、削除処理を個別に行うことによるユーザーの煩雑さを無くすことができる。
【００８８】
勿論、この場合も、削除制御部１２１が、保存制御部１１９から通知された保存処理の完了通知に連動して画像データを削除することもできる。かかる処理方式を採用すれば、何らかの原因で保存処理が正常に完了しなかった場合にも、画像データが自動的に削除される事態を回避できる。すなわち、保存処理の実行不良による原画像データの消滅を有効に回避できる。
【００８９】
（２）実施例
続いて、以上の機能配置例を適用した実施例を説明する。ここでは、出力先システム側に出力制御機能と保存制御機能を搭載する場合の実施例を説明する。すなわち、機能配分例７及び８に対応する実施例について説明する。なお言うまでもなく、以下に説明する実施例は、いずれも他の機能配分例に適用することができる。
【００９０】
（２−１）実施例１
（ａ）システム構成
図１０に、機能配分例７の１つの実施例を示す。このシステム構成は、デジタルカメラ１５１に格納された画像データの印刷処理を、印刷装置１３１の要求に基づいて実行する場合に用いられる。なお、画像データの自動保存機能は、印刷装置１３１に搭載される。
【００９１】
図１０において、デジタルカメラ１５１は出力元システムとして機能し、印刷装置１３１は出力先システムとして機能する。ここで、デジタルカメラ１５１は、既知の構成でなる。一方、印刷装置１３１は、通信装置１３３、中央処理装置１３５、ハードディスク装置１３７、印刷部１３９、操作部１４１、表示部１４３で構成される。印刷装置１３１についても、物理的な構成自体は、既知の構成と同じである。
【００９２】
通信装置１３３は、デジタルカメラ１５１と通信するためのインターフェースである。この通信装置１３３を通じ、デジタルカメラ１５１に対する画像データの出力指示が出力される。同様に、この通信装置１３３を通じ、デジタルカメラ１５１から出力された画像データが印刷装置１３１内に取り込まれる。
【００９３】
中央処理装置１３５は、印刷装置１３１の全体を制御する制御部として機能すると共に、通信装置１３３より取り込んだ画像データを処理するデータ処理部としても機能する。中央処理装置１３５は、操作部１４１の操作入力に従い、所定の処理動作を実行する。例えば、中央処理装置１３５は、ハードディスクに画像データを記録する。また例えば、中央処理装置１３５は、印刷部１３９による印刷動作を制御する。
【００９４】
また、中央処理装置１３５は、画像データの出力指示（印刷指示）に連動して、印刷用に取り込まれた画像データをハードディスク装置１３７に保存する処理を自動的に実行する。この際、中央処理装置１３５は、必要に応じて画像データを圧縮符号化する。
【００９５】
また、中央処理装置１３５は、画像データの印刷時又は一覧表示時において、ハードディスク装置１３７に保存されている画像データが圧縮処理済みの場合、画像データを伸張処理して印刷部１３９又は表示部１４３に出力する。
【００９６】
ハードディスク装置１３７は、画像データの保存用に搭載された磁気ディスク装置である。デジタルカメラ１５１側の記憶容量に比して十分大きな記憶容量を有している。この実施例の場合、ハードディスク装置１３７は、デジタルカメラ１５１に対するバックアップ装置として機能する。
【００９７】
印刷部１３９には、印刷装置１３１の印刷方式に応じた印刷ユニットが搭載される。例えば、トナー方式の印刷ユニット、インクジェット方式の印刷ユニット、昇華型の印刷ユニット、感熱式の印刷ユニットその他が使用される。
【００９８】
表示部１４３は、ユーザーが出した指令内容や動作進行状況等を簡略化した情報形式で表示する表示デバイスでなる。例えば、液晶ディスプレイが用いられる。また例えば、表示部１４３はＬＥＤその他の発光素子でも良い。この場合、情報はＬＥＤの点灯又は消灯を通じてユーザーに通知される。
【００９９】
また、この印刷装置１３１には、必要に応じて外部モニタ１４５と接続できる機能が搭載されている。外部モニタ１４５は、表示部１４３に比して画面サイズが大型である。例えば、テレビジョン受像機やコンピュータのモニタを使用する。外部モニタ１４５を接続することで、印刷内容や表示部１４３の通知内容を詳細に確認できる。
【０１００】
（ｂ）印刷動作例
続いて、画像データの印刷時に実行される印刷装置１３１の動作例を説明する。勿論、この印刷装置１３１では、印刷の実行に連動して画像データの保存処理が自動的に実行される。
【０１０１】
図１１に、フローチャート例を示す。まず、中央処理装置１３５によって、デジタルカメラ１５１が通信装置１３３を経由して接続されたことが検知される（プロセスＰ１）。中央処理装置１３５は、表示部１４３や外部モニタ１４５上に、印刷（再印刷を含む）や一覧表示の実行をユーザーに促す画面を表示する。
【０１０２】
また、中央処理装置１３５は、操作部１４１を通じて入力のあったユーザーからの指示に従った処理動作を実行する。ここでは、印刷処理のため画像データの選択画面を表示する（プロセスＰ２）。また、選択画面を通じて入力のあった印刷対象と指定枚数の情報を取得する（プロセスＰ３）。この実施例の場合、印刷対象の選択は画像単位で実行されるものとする。
【０１０３】
かかる後、印刷の実行が指示されたか否かを判断する（プロセスＰ４）。否定結果が得られた場合には、印刷モードを抜け、初期状態に戻る。一方、肯定結果が得られた場合には、印刷部１３９に画像データを転送する（プロセスＰ５）。
【０１０４】
続いて、中央処理装置１３５は、印刷品質をユーザーに確認する。ここでは、標準仕様による印刷の実行か否かを確認する（プロセスＰ６）。肯定結果が得られた場合には、標準仕様によって選択された画像を印刷する（プロセスＰ７）。これに対し、否定結果が得られた場合には、仕様の選択モードに移行する（プロセスＰ８）。そして、選択された仕様（例えば、明るさ、色合い）に基づいて、選択された画像を印刷する（プロセスＰ９）。
【０１０５】
次に、中央処理装置１３５は、印刷対象の画像データが新規の画像データか否かを判断する（プロセスＰ１０）。すなわち、中央処理装置１３５は、印刷対象の画像データが印刷装置１３１で初めて印刷されるか否かを判断する。
【０１０６】
ここで、肯定結果が得られた場合（初めての印刷の場合）、中央処理装置１３５は、印刷対象である画像データをハードディスク装置１３７に転送する（プロセスＰ１１）。前述の通り、この転送動作は、印刷動作に連動して自動的に実行される。
【０１０７】
この際、中央処理装置１３５は、表示部１４３（可能な場合には、外部モニタ１４５）に、「画像データの保存中」と表示する（プロセスＰ１２）。すなわち、中央処理装置１３５は、ユーザーに対し、画像データの保存を通知する。
【０１０８】
かかる表示の後、又は、プロセスＰ１０で否定結果を得た後、中央処理装置１３５は、印刷品質が十分であったか否かを、ユーザーからの指示入力に応じて判断する（プロセスＰ１３）。
【０１０９】
なお、プロセスＰ１０での否定結果は、ユーザーが既に同じ画像データについて複数回の出力指示を出している場合など、印刷対象の画像データがハードディスク装置１３７上に存在する場合に得られる。
【０１１０】
プロセスＰ１３で否定結果が得られた場合（印刷品質が不十分な場合）、中央処理装置１３５は、メンテナンス処理の実行が要求されているか否か判定する（プロセスＰ１４）。そして、メンテナンス処理が要求されていない場合には、プロセスＰ６から処理をやり直す。一方、メンテナンス処理が要求されている場合には、メンテナンス処理を実行した後、プロセスＰ６に戻る（プロセスＰ１５）。
【０１１１】
これに対し、プロセスＰ１３で肯定結果が得られた場合（印刷品質が十分であった場合）、中央処理装置１３５は、印刷を終了するか否かの確認モードに移行する（プロセスＰ１６）。否定結果が得られている間、中央処理装置１３５は、プロセスＰ２に戻って一連の処理を継続する。一方、肯定結果が得られた場合には、終了画面を表示し、印刷処理を終了する（プロセスＰ１７）。
【０１１２】
（ｃ）実施例の効果
この実施例では、印刷実行の際、画像データが自動的に保存される。従って、印刷品質の良好な画像を再度印刷する場合には、デジタルカメラ１５１から画像データを転送しなくても、ハードディスク装置１３７から直接印刷できる。
【０１１３】
勿論、印刷の実行前に画像内容を確認する場合にも、対応する画像データをハードディスク装置１３７から読み出して表示できる。このため、出力に要する時間の短縮と、処理の簡略化を実現できる。
【０１１４】
また、印刷装置１３１に搭載される操作部１４１や表示部１４３の仕様は簡略な場合が多い。このため、多数の画像データを扱うには、ユーザーの作業負担が大きくなる傾向がある。しかし、自動保存機能を搭載したことにより、保存作業に要する作業負担を格段に軽減することができる。すなわち、ユーザーは、印刷指示とは別に保存指示を出す必要が無く、印刷装置の操作性が向上される。
【０１１５】
（２−２）実施例２
（ａ）システム構成
図１２に、機能配分例８の１つの実施例を示す。この実施例では、外部メモリ１６１に格納された画像データの印刷処理を、印刷装置１３１Ａの要求に基づいて実行する場合を想定する。この実施例の場合、印刷装置１３１Ａは、画像データの自動保存機能に加え、画像データの自動削除機能も搭載する。
【０１１６】
この実施例では、外部メモリ１６１が出力元システムとして機能し、印刷装置１３１Ａは出力先システムとして機能する。図１２には、図１０との対応部分に同一符号を付して示すものとする。
【０１１７】
印刷装置１３１Ａは、メモリスロット１４７、中央処理装置１４９、ハードディスク装置１３７、印刷部１３９、操作部１４１、表示部１４３で構成される。また、前述の実施例同様、外部モニタ１４５との接続が可能である。以下、この実施例に特有の構成部分を説明する。
【０１１８】
メモリスロット１４７は、着脱自在な外部メモリ１６１を印刷装置１３１Ａの筐体に装着するためのインターフェースである。このメモリスロット１４７に外部メモリ１６１を装着することにより、外部メモリ１６１の画像データを印刷装置内に転送することが可能になる。外部メモリ１６１には、例えば不揮発性の半導体メモリを使用する。
【０１１９】
中央処理装置１４９は、前述した自動保存機能に加え、原画像データの自動削除機能を実行するデータ処理部として機能する。すなわち、中央処理装置１４９は、外部メモリ１６１から画像データを読み出して印刷すると同時に、その画像データのハードディスク装置１３７への保存と、外部メモリ１６１からの削除とを自動的に実行する。
【０１２０】
（ｂ）印刷動作例
この構成を有する印刷装置１３１Ａの印刷動作は例えば以下のように実行される。図１３に、フローチャート例を示す。なお、基本的な印刷動作は、図１１に示す処理動作と同じである。
【０１２１】
すなわち、図１１のプロセスＰ１が、外部メモリ１６１の接続を検知する処理（プロセスＰ２１）に置き換わっている点と、原画像データを外部メモリ１６１から削除する処理（プロセスＰ２３）が図１１のプロセスＰ１２とＰ１３の間に挿入されている点を除き、図１３に示すフローチャートは図１１に示すフローチャートと同じである。
【０１２２】
なお、原画像データの削除処理は、外部メモリ１６１から画像データが出力された後（読み出された後）、自動的に実行される。この結果、画像データの印刷実行後は、画像データのデータ量に相当する空き領域が外部メモリ１６１に新たに形成されることになる。
【０１２３】
因みに、削除された画像データを再び外部メモリ１６１に取り込みたい場合には、必要とする画像データをハードディスク装置１３７から外部メモリ１６１に複製又は移動させれば良い。
【０１２４】
（ｃ）実施例の効果
この実施例の場合も、印刷実行の際、自動的に画像データが保存される。従って、印刷品質の良好な画像を再度印刷する場合には、外部メモリ１６１から画像データを転送しなくても、ハードディスク装置１３７から直接印刷できる。
【０１２５】
勿論、印刷の実行前に画像内容を確認する場合にも、対応する画像データをハードディスク装置１３７から読み出して表示できる。このため、出力に要する時間の短縮と、処理の簡略化を実現できる。
【０１２６】
また、この自動削除機能の実行により、外部メモリ１６１の記憶領域における使用領域を最小限に抑えることができる。この結果、外部メモリ１６１が記憶容量の上限に近い状態で使用される事態を回避することができる。
【０１２７】
例えば、外部メモリ１６１がデジタルカメラで使用されるものである場合、記憶容量が上限に近いと、容量不足のために新たな撮像機会を逃す可能性がある。しかし、この実施例のように、印刷実行時に画像データの自動移動機能と自動削除機能が共に実行されれば、撮像機会を逃すこともない。
【０１２８】
また、外部メモリ１６１の使用領域が最小限となることで、外部メモリ１６１に記憶されている画像データの処理負荷を小さくできる。すなわち、画像データの検索動作やインデックス印刷に必要な処理動作を迅速に実行できる。
【０１２９】
また、印刷実行時に画像データの自動削除を実行できるため、画像データの削除処理のためにコンピュータその他の画像処理装置に装着し直す必要を無くすことができる。この結果、画像データの削除作業に伴うユーザーの煩雑を解消できる。すなわち、操作性を向上できる。
【０１３０】
（２−３）他の実施例
（ａ）前述の実施例１においては、出力制御機能及び自動保存機能をソフトウェア的に実現したが、それぞれ各機能に対応する処理を専用の処理回路を用いて実現しても良い。同様に、前述の実施例２においては、出力制御機能、自動保存機能及び自動削除機能をソフトウェア的に実現したが、それぞれ各機能に対応する処理を専用の処理回路を用いて実現しても良い。
【０１３１】
（ｂ）前述の実施例１においては、印刷装置１３１の表示部１４３に「画像データの保存中」と表示することで、ユーザーに対して自動保存機能の実行を通知したが、同機能の実行をデジタルカメラ１５１に搭載された表示部（例えば、液晶ディスプレイ）に表示させても良い。この表示は、デジタルカメラ１５１の表示部のみの表示でも良いし、デジタルカメラ１５１と印刷装置１３１の両方に表示させても良い。
【０１３２】
（ｃ）前述の実施例１においては、デジタルカメラ１５１を印刷装置１３１と通信路経由で接続したが、実施例２と同様の接続形態を採用しても良い。すなわち、デジタルカメラ１５１から記録媒体を取り外し、印刷装置１３１に装着した状態で使用しても良い。
【０１３３】
（ｄ）前述の実施例２においては、原画像データの自動削除処理（プロセスＰ２３）を印刷結果の確認処理（プロセスＰ１３）の前に実行するものとして説明したが、必ずしもこれに限らない。例えば、図１４に示すように、印刷結果の確認処理後に実行しても良い。この手法を採用すれば、最終的に印刷された画像データを確実に保存できる。
【０１３４】
（ｅ）前述の実施例２においては、自動削除処理の実行をユーザーに通知する機能については説明しなかったが、同機能の実行を印刷装置１３１の表示部１４３や外部モニタ１４５を用いて通知しても良い。例えば、図１５（Ａ）や図１５（Ｂ）に示す画面を表示部１４３や外部モニタ１４５に表示させても良い。
【０１３５】
また、印刷装置１３１Ａにデジタルカメラが接続されている場合であれば、デジタルカメラの表示画面に自動削除処理の実行を表示させても良い。例えば、図１５（Ａ）や図１５（Ｂ）に示す画面を表示させても良い。なお、かかる削除機能は自動実行されるため、削除対象や移動先を明示する内容であるのが望ましい。
【０１３６】
例えば、図１５の例であれば、「外部メモリから原画像データが削除されました」とか、「本機から原画像データが削除されました」と表示するのが望ましい。また例えば、「印刷装置に原画像データが移動されました」とか、「本機に原画像データが移動されました」と表示するのが望ましい。
【０１３７】
（ｆ）前述の実施例２においては、外部メモリ１６１を印刷装置１３１Ａのメモリスロット１４７に装着するものとして説明したが、実施例１と同様の接続形態を採用しても良い。すなわち、外部メモリはデジタルカメラ内に装着した状態で通信路経由で印刷装置１３１Ａと接続しても良い。
【０１３８】
（ｇ）前述の実施例１及び２においては、画像データの印刷実行動作が画像単位で実行されるものとして説明したが、複数枚の画像単位で実行される場合にも適用できる。例えば、複数枚の画像に対応する画像データが複数格納されたホルダー単位で一連の印刷動作が実行される場合にも適用できる。
【０１３９】
（ｈ）前述の実施例１及び２においては、外部メモリ１３１が不揮発性の半導体メモリであるものとして説明したが、光記録媒体や磁気記録媒体でも良い。また、前述の機能配分例で説明したように、画像データの出力元となる電子機器と印刷装置とは有線通信路又は無線通信路で接続されていても良い。
【０１４０】
（ｉ）前述の実施例１及び２においては、印刷装置に内蔵する記憶装置の一例としてハードディスク装置を例示したが、光記録媒体、半導体メモリその他の不揮発性の記憶媒体を採用しても良い。
【０１４１】
（ｊ）発明の趣旨の範囲内で様々な変形例が考えられる。また、本明細書の記載に基づいて創作される各種の変形例及び応用例も考えられる。
【図面の簡単な説明】
【０１４２】
【図１】従来例の構成を示す図である。
【図２】機能配分に着目した１つの実施例を示す図である。
【図３】機能配分に着目した１つの実施例を示す図である。
【図４】機能配分に着目した１つの実施例を示す図である。
【図５】機能配分に着目した１つの実施例を示す図である。
【図６】機能配分に着目した１つの実施例を示す図である。
【図７】機能配分に着目した１つの実施例を示す図である。
【図８】機能配分に着目した１つの実施例を示す図である。
【図９】機能配分に着目した１つの実施例を示す図である。
【図１０】実施例の１つとしての印刷装置例を示す図である。
【図１１】図１０に示す印刷装置の印刷動作例を示す図である。
【図１２】実施例の１つとしての印刷装置例を示す図である。
【図１３】図１２に示す印刷装置の印刷動作例を示す図である。
【図１４】図１２に示す印刷装置の他の印刷動作例を示す図である。
【図１５】表示画面例を示す図である。
【符号の説明】
【０１４３】
３１、３１Ａ、５１、５１Ａ、７１、１０１    出力元システム
４１、６１、８１、８１Ａ、１１１、１１１Ａ  出力先システム
３５、６５、７５、１１７                    出力制御部
３７、５７、８９、１１９                    保存制御部
３９、５９、９１、１２１                    削除制御部
１３１、１３１Ａ                            印刷装置
１５１                                      デジタルカメラ
１６１                                      外部メモリ
【図１】
2005313392.tif 000003
【図２】
2005313392.tif 000004
【図３】
2005313392.tif 000005
【図４】
2005313392.tif 000006
【図５】
2005313392.tif 000007
【図６】
2005313392.tif 000008
【図７】
2005313392.tif 000009
【図８】
2005313392.tif 000010
【図９】
2005313392.tif 000011
【図１０】
2005313392.tif 000012
【図１１】
2005313392.tif 000013
【図１２】
2005313392.tif 000014
【図１３】
2005313392.tif 000015
【図１４】
2005313392.tif 000016
【図１５】
2005313392.tif 000017